(57)【要約】      （修正有）【課題】購入者から弁当が見え易く、販売者も販売し易い弁当販売用リヤカーを提供する。【解決手段】リヤカーの側面フレームを形成する枠杆２の上縁部２ａに着脱自在に取付けられる弁当収納枠体２０及びポット載置枠体３０と、ポット載置枠体３０の前方で該ポット載置枠体３０に載置されたポット５２の湯出口の下方に設けられたカップ載置部４０とを有する。弁当収納枠体２０には、枠杆２の上縁部２ａに係合する係合部２１が形成され、ポット載置枠体３０には、上端に枠杆２の上縁部２ａに掛ける掛け部３１が形成され、下端にポット５２を載置するポット載置部が形成されている。【選択図】図１
0003143660.tif 000002
【実用新案登録請求の範囲】
【請求項１】
リヤカーの側面フレームを形成する枠杆の上縁部に着脱自在に取付けられる弁当収納枠体を有し、前記弁当収納枠体には、前記枠杆の上縁部に係合する係合部が形成されていることを特徴とする弁当販売用リヤカー。
【請求項２】
リヤカーの側面フレームを形成する枠杆の上縁部に着脱自在に取付けられる弁当収納枠体及びポット載置枠体とを有し、前記弁当収納枠体には、前記枠杆の上縁部に係合する係合部が形成され、前記ポット載置枠体には、上端に前記枠杆の上縁部に掛ける掛け部が形成され、下端にポットを載置するポット載置部が形成されていることを特徴とする弁当販売用リヤカー。
【請求項３】
リヤカーの側面フレームを形成する枠杆の上縁部に着脱自在に取付けられる弁当収納枠体及びポット載置枠体と、前記ポット載置枠体の前方で該ポット載置枠体に載置されたポットの湯出口の下方に設けられたカップ載置部とを有し、前記弁当収納枠体には、前記枠杆の上縁部に係合する係合部が形成され、前記ポット載置枠体には、上端に前記枠杆の上縁部に掛ける掛け部が形成され、下端にポットを載置するポット載置部が形成されていることを特徴とする弁当販売用リヤカー。
【考案の詳細な説明】
【技術分野】
【０００１】
本考案は、弁当販売用リヤカーに関する。
【背景技術】
【０００２】
近年、会社や工場、競技場などの近くの路上で弁当を販売する場合、後方が開く小型車で運搬して販売している。小型車の場合は、後方を開けて荷台に並べた弁当を販売するので、一部の販売しか見えなく、商品のアピール度が低い。
【０００３】
この点、リヤカーは小回りが効くと共に、販売物が一目瞭然と判るので、単なる物の運搬のみではなく、物の販売として、一般的に野菜や魚などを載せて販売している。そこで、小型車に折り畳みリヤカーを積んで運搬し、販売する場所で折り畳みリヤカーの荷台に弁当を載せて販売することが考えられる。
【０００４】
折り畳みリヤカーとして、例えば特許文献１が挙げられる。この構造を図５により簡単に説明する。角パイプからなる下縁杆１と枠杆２とから形成された左右の側面フレームの下縁杆１の中央部外側には、それぞれ車輪用補助杆３を溶接固定してその内側にそれぞれ車輪４が取付けてある。そして、これら左右の側面フレームを対向させて、それぞれの下縁杆１、１同士を荷台板５で連結し、枠杆２の前端及び後端の立上がり部にそれぞれ縦杆６、６を溶接固定し、コ字状の横杆７、７の一端をそれぞれ着脱自在に嵌挿している。枠杆２の前端の立上がり部には、ハンドル用縦杆９、９が溶接固定され、このハンドル用縦杆９、９にハンドル杆１０の後端を嵌挿させている。
【特許文献１】特開平８−４０２７５号公報（特許第２９４１１７４号公報）
【考案の開示】
【考案が解決しようとする課題】
【０００５】
リヤカーであると、回りから荷台上の弁当が一目瞭然と判り、アピール度も高い。しかし、弁当を単に荷台に載せたのみでは、購入者は上方から覗き込まなければならなく、また販売者も販売しにくい。
【０００６】
本考案の課題は、購入者から弁当が見え易く、販売者も販売し易い弁当販売用リヤカーを提供することにある。
【課題を解決するための手段】
【０００７】
上記課題を解決するための本考案の請求項１は、リヤカーの側面フレームを形成する枠杆の上縁部に着脱自在に取付けられる弁当収納枠体を有し、前記弁当収納枠体には、前記枠杆の上縁部に係合する係合部が形成されていることを特徴とする。
【０００８】
上記課題を解決するための本考案の請求項２は、リヤカーの側面フレームを形成する枠杆の上縁部に着脱自在に取付けられる弁当収納枠体及びポット載置枠体とを有し、前記弁当収納枠体には、前記枠杆の上縁部に係合する係合部が形成され、前記ポット載置枠体には、上端に前記枠杆の上縁部に掛ける掛け部が形成され、下端にポットを載置するポット載置部が形成されていることを特徴とする。
【０００９】
上記課題を解決するための本考案の請求項３は、リヤカーの側面フレームを形成する枠杆の上縁部に着脱自在に取付けられる弁当収納枠体及びポット載置枠体と、前記ポット載置枠体の前方で該ポット載置枠体に載置されたポットの湯出口の下方に設けられたカップ載置部とを有し、前記弁当収納枠体には、前記枠杆の上縁部に係合する係合部が形成され、前記ポット載置枠体には、上端に前記枠杆の上縁部に掛ける掛け部が形成され、下端にポットを載置するポット載置部が形成されていることを特徴とする。
【考案の効果】
【００１０】
リヤカーの上方部に弁当が並べられるので、弁当の内容が一目瞭然と判り、アピール度が高い。この場合、弁当を自然な目線で認識できると共に、販売者も自然な姿勢で受け渡しできる。またリヤカーにはポットが載置されたポット載置枠体をセットすることにより、例えばカップ製品をカップ載置部上に載置し、ポットによってお湯を容易に継ぐことができる。
【考案を実施するための最良の形態】
【００１１】
本考案の弁当販売用リヤカーの一実施の形態を図１乃至図４により説明する。本実施の形態は、リヤカーとして、図５に示す折り畳みリヤカーに適用した場合を示す。そこで、図５と同じ部材及び部分には同一符号を付し、その詳細な説明は省略する。
【００１２】
本実施の形態は、図２に示すように、枠杆２の上縁部２ａに、弁当収納枠体２０とポット載置枠体３０とが着脱自在に取付け可能となっている。
【００１３】
弁当収納枠体２０は、図１乃至図３に示すように、多数の弁当５０を収納して運搬する一般に用いられている弁当収納箱５１を載置する大きさの箱型の矩形形状に形成されている。弁当収納枠体２０の下面の短辺方向には、枠杆２の上縁部２ａの内側に係合する係合部２１が下方に突出して形成されている。係合部２１は弁当収納枠体２０の内部を内側に折り曲げて形成されており、係合部２１の内側は矩形形状の穴２２が形成されている。
【００１４】
ポット載置枠体３０は、図１、図２及び図４に示すように、上端に枠杆２の上縁部２ａに上方より掛け吊るす掛け部３１が形成され、下端にポット５２を載置すると共にポット５２が落ちないように周囲を枠体３２で囲ったポット載置部３３が形成されている。ポット載置部３３の前方には、カップ載置部４０が設けられている。
【００１５】
カップ載置部４０は次のような構造となっている。ポット載置部３３の下端には、前方に伸びて上方に立ち上がったＬ字形状のカップ保持枠固定板４１が固定されており、カップ保持枠固定板４１の上端には十字形状のカップ支持板４２が固定されている。カップ支持板４２には、垂直に配設された複数個の支持板４３が固定されており、この支持板４３上にはリング状のカップ保持板４４が固定されている。ここで、カップ載置部４０はポット載置枠体３０のポット載置部３３にポット５２を載置した場合、ポット５２の湯出口の下方に設けられている。
【００１６】
次ぐに作用について説明する。弁当５０を販売する場所で折り畳みリヤカーを組み立て、図２に示すように、枠杆２の上縁部２ａに弁当収納枠体２０の係合部２１が係合するように載置する。そして、図１に示すように、弁当収納枠体２０に弁当５０を収納した弁当収納箱を載置する。ここで、図１には、弁当５０は図示上、単に箱型で示したが、弁当５０は上面が透明なビニールシートで覆われ、弁当５０の内容が見えるようになっている。また図２に示すように、ポット載置枠体３０の掛け部３１を枠杆２の後方部の上縁部２ａに掛けて吊るす。そして、図１に示すように、ポット載置枠体３０のポット載置部３３にポット５２を載置する。なお、図１及び図２には、ポット載置部３３が枠杆２の外側になるように配設したが、ポット載置部３３が枠杆２の内側になるように配設してもよいことは言うまでもない。
【００１７】
上記実施の形態で弁当５０を販売する場合、荷台板５上は空間となる。そこで、この空間を有効活用するには、例えばおかずと御飯とが別になっている場合には、弁当収納箱にはおかずの弁当５０を置き、荷台板５上には御飯が入った米櫃を置く。またカップラーメン、カップ味噌汁、コーヒー、紅茶などのカップ製品５３を置く。
【００１８】
このように、リヤカーの上方部に弁当５０が並べられているので、弁当５０の内容が一目瞭然と判り、アピール度が高い。この場合、弁当５０を自然な目線で認識できると共に、販売者も自然な姿勢で受け渡しできる。またリヤカーにはポット５２が載置されたポット載置枠体３０をセットすることにより、例えばカップ製品５３をカップ支持板４２上に載置し、ポット５２によってお湯を容易に継ぐことができる。
【００１９】
上記実施の形態においては、折り畳みリヤカーに適用した場合について説明したが、折り畳みリヤカーでないリヤカーにも適用できることは言うまでもない。折り畳みリヤカーの場合は小型車に積んで移動する場合に便利であるが、折り畳みリヤカーでなくてもよいことは言うまでもない。また弁当収納枠体２０の係合部２１は、枠杆２の上縁部２ａの内側に係合するように形成したが、係合部２１を枠杆２の上縁部２ａの外側に係合するようにしてもよい。
【００２０】
また上記実施の形態においては、弁当収納枠体２０に弁当５０を収納した弁当収納箱を載置した場合について説明した。しかし、弁当収納枠体２０の内部に穴２２を塞ぐ板を載置し、弁当５０を弁当収納枠体２０上に直接並べてもよい。また弁当収納枠体２０に穴２２を形成しなく、弁当収納枠体２０に弁当５０を収納した弁当収納箱を載置しても、また弁当５０を直接並べてもよい。またカップ載置部４０は設けなく、カップ製品５３は手で持ってポット５２より直接湯を注いでもよい。しかし、カップ載置部４０を設けると、より便利であることは言うまでもない。
【図面の簡単な説明】
【００２１】
【図１】本考案の弁当販売用リヤカーの一実施の形態の使用状態を示す斜視図である。
【図２】図１の弁当収納箱及びポットを載置する前の斜視図である。
【図３】弁当収納枠体を示し、（ａ）は平面図、（ｂ）は断面図である。
【図４】ポット載置枠体を示し、（ａ）は正面図、（ｂ）は平面図である。
【図５】折り畳みリヤカーの一例を示す斜視図である。
【符号の説明】
【００２２】
２    枠杆
２ａ    上縁部
２０    弁当収納枠体
２１    係合部
３０    ポット載置枠体
３１    掛け部
３２    枠体
３３    ポット載置部
４０    カップ載置部
５０    弁当
５１    弁当収納箱
５２    ポット
５３    カップ製品
【図１】
0003143660.tif 000003
【図２】
0003143660.tif 000004
【図３】
0003143660.tif 000005
【図４】
0003143660.tif 000006
【図５】
0003143660.tif 000007